(57)【要約】【課題】データを提供する組込機器に記憶装置が有する時刻情報を取得する機能を追加することなく、記憶装置に記憶されたデータに正確な時刻情報を対応付けること記憶装置を提供する。【解決手段】記憶装置は、組込機器との接続に使用されるインターフェース部と、前記組込機器から前記インターフェース部に入力されたデータを記憶する記憶部と、前記データが前記記憶部に記憶された第１時刻を前記データと対応付けて前記記憶部に記憶させる演算部と、を備える。【選択図】図１
2020067798.tif 000002
【特許請求の範囲】
【請求項１】
組込機器との接続に使用されるインターフェース部と、
前記組込機器から前記インターフェース部に入力されたデータを記憶する記憶部と、
前記データが前記記憶部に記憶された第１時刻を前記データと対応付けて前記記憶部に記憶させる演算部と、
を備える記憶装置。
【請求項２】
前記演算部は、前記第１時刻を示す第１時刻データを前記データと対応付けて前記記憶部に記憶させる、
請求項１に記載の記憶装置。
【請求項３】
前記演算部は、前記第１時刻と前記データに含まれているタイムスタンプが示す第２時刻との差が所定の閾値を超えている場合、前記タイムスタンプが示す前記第２時刻を前記第１時刻に書き換える、
請求項１に記載の記憶装置。
【請求項４】
前記演算部は、前記第１時刻の正確さを示す信頼度を前記データと対応付けて前記記憶部に記憶させる、
請求項１から請求項３のいずれか一つに記載の記憶装置。
【請求項５】
第３時刻の入力に使用される時刻入力部を更に備え、
前記演算部は、前記第３時刻を前記データが前記記憶部に記憶された前記第１時刻として前記データと対応付けて前記記憶部に記憶させる、
請求項１から請求項４のいずれか一つに記載の記憶装置。
【請求項６】
第４時刻を示す第４時刻データを受信する時刻受信部を更に備え、
前記演算部は、前記第４時刻を前記データが前記記憶部に記憶された前記第１時刻として前記データと対応付けて前記記憶部に記憶させる、
請求項１から請求項４のいずれか一つに記載の記憶装置。
【発明の詳細な説明】
【技術分野】
【０００１】
本発明は、記憶装置に関する。
【背景技術】
【０００２】
現在では、組込機器内のデータをＵＳＢメモリ等の記憶装置に記憶させ、他の組込機器で利用する場面が増加している。また、データが記憶装置に記憶された時点においてデータを提供する組込機器が有していた時刻情報が記憶装置にデータが記憶された時刻として記憶され、データの識別に使用されることがある。
【０００３】
このような技術として、例えば、特許文献１には、取り外し可能な記録媒体がディジタルスチルカメラに取り付けられた際、ディジタルスチルカメラのもつＲＴＣ（Real-Time  Clock）から読み出した現在時刻と、記録媒体上のＲＴＣから読み出した現在時刻を比較し、ずれがある場合には、記録媒体上のＲＴＣの時刻をディジタルスチルカメラのもつＲＴＣの時刻とするシステムコントローラが開示されている。このシステムコントローラは、記録媒体に記録されたデータの時刻情報と、記録媒体を取り付けた記録装置又は読み出し装置の時刻の同期関係を維持することを目的としている。
【先行技術文献】
【特許文献】
【０００４】
【特許文献１】特開２００３−１６７０７７号公報
【０００５】
しかし、特許文献１に開示されている技術は、記録媒体上のＲＴＣから現在時刻を読み出すことができるシステムコントローラをディジタルスチルカメラ等が備えている必要がある。このため、当該技術は、ディジタルスチルカメラ等が当該システムコントローラを備えていない限り、ディジタルスチルカメラ等のＲＴＣの時刻と記録媒体のＲＴＣの時刻との同期関係を維持し、記憶装置にデータが記憶された時刻の正確性を担保することができないことがある。
【発明の概要】
【発明が解決しようとする課題】
【０００６】
そこで、本発明は、データを提供する組込機器に記憶装置が有する時刻情報を取得する機能を追加することなく、記憶装置に記憶されたデータに正確な時刻情報を対応付けることができる記憶装置を提供することを課題とする。
【課題を解決するための手段】
【０００７】
本発明の一態様は、組込機器との接続に使用されるインターフェース部と、前記組込機器から前記インターフェース部に入力されたデータを記憶する記憶部と、前記データが前記記憶部に記憶された第１時刻を前記データと対応付けて前記記憶部に記憶させる演算部と、を備える記憶装置である。
【発明の効果】
【０００８】
本発明によれば、データを提供する組込機器に記憶装置が有する時刻情報を取得する機能を追加することなく、記憶装置に記憶されたデータに正確な時刻情報を対応付けることができる
【図面の簡単な説明】
【０００９】
【図１】第１実施形態に係る記憶装置の構成の一例を示す図である。
【図２】第２実施形態に係る記憶装置の構成の一例を示す図である。
【図３】第３実施形態に係る記憶装置の構成の一例を示す図である。
【発明を実施するための形態】
【００１０】
［第１実施形態］
図１を参照しながら、第１実施形態に係る記憶装置について説明する。図１は、第１実施形態に係る記憶装置の構成の一例を示す図である。図１に示すように、記憶装置１１は、例えば、ＵＳＢ（Universal  Serial  Bus）メモリ、ＳＤカードであり、インターフェース部１１１と、記憶部１１２と、ＲＴＣ１１３と、バッテリー１１４と、演算部１１７とを備える。
【００１１】
インターフェース部１１１は、組込機器２０との接続に使用されるハードウェアインターフェース、例えば、ＵＳＢ、ＳＤカードインターフェースである。また、組込機器２０は、被検体の生体信号の計測等、特定の機能を果たすことを目的とした機器である。ただし、組込機器２０は、パーソナルコンピュータ等、様々な機能を果たすことを目的とした機器であってもよい。
【００１２】
記憶部１１２は、組込機器２０からインターフェース部１１１に入力されたデータを記憶する記憶媒体、例えば、フラッシュメモリである。
【００１３】
ＲＴＣ１１３は、記憶装置１１の時計機能が実装されているＩＣ（Integrated  Circuit）又は記憶装置１１に内蔵されている時計である。ＲＴＣ１１３は、記憶装置１１が組込機器２０に接続されているか否かに関わらず、バッテリー１１４から電力の供給を受けて時間を刻み続ける。なお、ＲＴＣ１１３及びバッテリー１１４の少なくとも一方は、記憶装置１１の外部に設けられていてもよい。また、バッテリー１１４は、二次電池、環境発電により充電可能な電池であることが好ましい。
【００１４】
演算部１１７は、第１時刻を当該データと対応付けて記憶部１１２に記憶させる。第１時刻は、データが記憶部１１２に記憶された時刻、すなわち組込機器２０がデータを記憶部１１２に記憶させた時点でＲＴＣ１１３が示していた時刻である。また、データが記憶部１１２に記憶された時刻は、例えば、記憶部１１２へのデータの記憶が開始された時点、記憶部１１２へのデータの記憶が完了した時刻、これら二つの時刻の間の時刻である。
【００１５】
具体的には、演算部１１７は、組込機器２０がインターフェース部１１１を介してデータを記憶部１１２に記憶させた場合、第１時刻を示す第１時刻データを当該データと対応付けて記憶部１１２に記憶させる。また、演算部１１７は、記憶部１１２内に設けられているデータベースに第１時刻データを記憶させてもよい。さらに、第１時刻データは、組込機器２０が記憶部１１２に記憶させたデータとは別のデータであり、当該データのファイル名及びタイムスタンプを含んでいてもよい。
【００１６】
或いは、演算部１１７は、第１時刻と組込機器２０が記憶部１１２に記憶させたデータに含まれているタイムスタンプが示す第２時刻との差が所定の閾値を超えている場合、タイムスタンプが示す第２時刻を第１時刻に書き換える。すなわち、演算部１１７は、記憶部１１２にデータが記憶された場合、第１時刻と第２時刻との差が所定の閾値を超えているか否かを判定し、当該差が所定の閾値を超えていると判定した場合、当該データのタイムスタンプが示す第２時刻を第１時刻に書き換える。なお、当該所定の閾値は、例えば、５分である。
【００１７】
また、演算部１１７は、記憶部１１２に第１時刻データを記憶させる場合及びデータのタイムスタンプが示す第２時刻を第１時刻に書き換える場合の少なくとも一方において、第１時刻の正確さを示す信頼度をデータと対応付けて記憶部１１２に記憶させてもよい。例えば、ＲＴＣ１１３に電力を供給しているバッテリー１１４の残量が所定の閾値未満である場合やＲＴＣ１１３が示す時刻の設定が所定の期間以上実施されていない場合に、信頼度が低く設定される。或いは、第１時刻と第２時刻との差が所定の閾値を超えている場合に、信頼度が低く設定され、当該差の大きさに応じて信頼度を変化させてもよい。
【００１８】
以上、第１実施形態に係る記憶装置１１について説明した。記憶装置１１は、記憶部１１２にデータが記憶された場合、第１時刻を当該データと対応付けて記憶部１１２に記憶させるため、データを提供する組込機器２０に記憶装置が有する時刻情報を取得する機能を追加することなく、記憶装置１１に記憶されたデータに正確な時刻情報を対応付けることができるという効果を奏する。特に、記憶部１１２に記憶されるデータが被検体の生体信号を示すデータ等である場合、データの正確な識別が重要であるため、記憶装置１１が有用である。また、記憶装置１１は、組込機器２０とは独立して動作するため、組込機器２０の種類や仕様に関わらず、第１時刻を当該データと対応付けて記憶部１１２に記憶させる処理を実行することができる。
【００１９】
また、記憶装置１１は、組込機器２０が記憶部１１２にデータを記憶させた場合、当該データのタイムスタンプが示す第２時刻を書き換えることなく、第１時刻を示す第１時刻データを当該データと対応付けて記憶部１１２に記憶させる。つまり、記憶装置１１は、当該データ自体を変更することなく、第１時刻を当該データと対応付けて記憶部１１２に記憶させる。したがって、記憶装置１１は、当該データの信頼性を保ちつつ、上述した効果を奏することができる。
【００２０】
或いは、記憶装置１１は、組込機器２０が記憶部１１２にデータを記憶させた第１時刻と組込機器２０が記憶部１１２に記憶させたデータに含まれているタイムスタンプが示す第２時刻との差が所定の閾値を超えている場合、タイムスタンプが示す第２時刻を第１時刻に書き換える。したがって、記憶装置１１は、自身の記憶容量を節約しつつ、上述した効果を奏することができる。
【００２１】
また、記憶装置１１は、第１時刻の正確さを示す信頼度をデータと対応付けて記憶部１１２に記憶させるため、第１時刻の精度をユーザに知らせることができる。
【００２２】
［第２実施形態］
図２を参照しながら、第２実施形態に係る記憶装置について説明する。図２は、第２実施形態に係る記憶装置の構成の一例を示す図である。第２実施形態の説明では、上述した第１実施形態と重複する内容の説明を適宜省略する。
【００２３】
図２に示すように、記憶装置１２は、インターフェース部１２１と、記憶部１２２と、ＲＴＣ１２３と、バッテリー１２４と、時刻入力部１２５と、表示部１２６と、演算部１２７とを備える。インターフェース部１２１、記憶部１２２、ＲＴＣ１２３及びバッテリー１２４は、それぞれ第１実施形態に係るインターフェース部１１１、記憶部１１２、ＲＴＣ１１３及びバッテリー１１４と同様である。
【００２４】
時刻入力部１２５は、例えば、マウス、キーボード、ボタン、タッチパネルであり、第３時刻の入力に使用される。第３時刻は、ユーザが時刻入力部１２５を使用して入力した時刻である。表示部１２６は、例えば、液晶ディスプレイであり、第３時刻を表示する。演算部１２７は、第３時刻を組込機器２０が記憶部１２２にデータを記憶させた第１時刻として当該データと対応付けて記憶部１２２に記憶させる。
【００２５】
以上、第２実施形態に係る記憶装置１２について説明した。記憶装置１２は、ユーザが時刻入力部１２５を使用して入力した第３時刻を第１時刻とし、組込機器２０が記憶部１２２に記憶させたデータと対応付けて記憶部１２２に記憶させる。このため、記憶装置１２は、ＲＴＣ１２３が示す時刻を他の機器を使用して読み出したり設定したりすることなく第１時刻を取得し、第１実施形態に係る記憶装置１１と同様の効果を奏することができる。
【００２６】
［第３実施形態］
図３を参照しながら、第３実施形態に係る記憶装置について説明する。図３は、第３実施形態に係る記憶装置の構成の一例を示す図である。第３実施形態の説明では、上述した第１実施形態又は第２実施形態と重複する内容の説明を適宜省略する。
【００２７】
図３に示すように、記憶装置１３は、インターフェース部１３１と、記憶部１３２と、ＲＴＣ１３３と、バッテリー１３４と、時刻受信部１３５と、演算部１３７とを備える。インターフェース部１３１、記憶部１３２、ＲＴＣ１３３及びバッテリー１３４は、それぞれ第１実施形態に係るインターフェース部１１１、記憶部１１２、ＲＴＣ１１３及びバッテリー１１４と同様である。ただし、時刻受信部１３５が次に説明する動作を確実に実行することができる場合、バッテリー１３４は、記憶装置１３の必須の構成要素ではない。また、記憶装置１３がバッテリー１３４を備えていない場合、記憶装置１３は、組込機器２０から電力の供給を受けてもよい。
【００２８】
時刻受信部１３５は、例えば、標準電波、ＮＴＰ（Network  Time  Protocol）サーバが配信している正確な時刻を示す信号に含まれている第４時刻を示す第４時刻データを受信する。標準電波は、正確な時刻を送信している電波であり、政府機関等により送信されている。ＮＴＰサーバは、正確な時刻を配信しているサーバであり、有線又は無線により時刻受信部１３５と接続されている。演算部１３７は、第４時刻を組込機器２０が記憶部１３２にデータを記憶させた第１時刻として当該データと対応付けて記憶部１３２に記憶させる。
【００２９】
以上、第３実施形態に係る記憶装置１３について説明した。記憶装置１３は、時刻受信部１３５により受信された第４時刻を第１時刻とし、組込機器２０が記憶部１３２に記憶させたデータと対応付けて記憶部１３２に記憶させる。このため、記憶装置１３は、ＲＴＣ１３３が示す時刻を他の機器を使用して読み出したり設定したりすることなく第１時刻を取得し、第１実施形態に係る記憶装置１１と同様の効果を奏することができる。
【００３０】
以上、本発明の実施形態について図面を参照しながら説明したが、具体的な構成が上述した実施形態に限られるわけではなく、本発明の要旨を逸脱しない範囲での設計変更等も含まれる。
【符号の説明】
【００３１】
１１，１２，１３…記憶装置、１１１，１２１，１３１…インターフェース部、１１２，１２２，１３２…記憶部、１１３，１２３，１３３…ＲＴＣ、１１４，１２４，１３４…バッテリー、１２５…時刻入力部、１３５…時刻受信部、１２６…表示部、１１７，１２７，１３７…演算部、２０…組込機器
【図１】
2020067798.tif 000003
【図２】
2020067798.tif 000004
【図３】
2020067798.tif 000005